(57)【特許請求の範囲】
【請求項１】
液晶素子上の画像をスクリーン上に拡大投影する液晶プロジェクタの投影レンズ部の先端部に挿着され、前記拡大投影される画像の縦横比率を変倍するアナモルフィックレンズの前記液晶素子に対する回転位置合せを行うアナモルフィックレンズの調整機構であって、
前記アナモルフィックレンズは、少なくとも前記液晶プロジェクタの投影レンズ部の先端部に挿着するレンズ固定部と、該レンズ固定部に所定の摩擦力を有して前記投影レンズ部の光軸まわりに回動自在に結合されたアナモルフィックレンズ本体部とからなり、
十字状のスリット窓を有し、前記アナモルフィックレンズ本体部に着脱可能なレンズキャップであって、装着時に前記アナモルフィックレンズ本体部に対する回転方向の位置決めする位置決め手段を有し、前記十字状のスリット窓の方向は装着時に前記アナモルフィックレンズ本体部の焦点距離の異なる縦横方向に一致するようにされたレンズキャップ部材を備え、
前記レンズキャップ部材は、前記位置決め手段を介して前記アナモルフィックレンズ本体部に装着し、前記スクリーン上に投影された前記レンズキャップ部材の十字状のスリット窓の画像と、前記液晶素子から前記スクリーン上に投影された前記液晶素子に対して縦横２方向が一致した十字状の画像であって、前記レンズキャップ部材の十字状のスリット窓の画像と重なったときに略同一形状になる画像とが重なって見えるように前記アナモルフィックレンズ本体部を回転して調整可能に構成されたアナモルフィックレンズの調整機構。
【請求項２】
前記レンズキャップ部材の十字状のスリット窓は、縦横方向の長さが異なることを特徴とする請求項１に記載のアナモルフィックレンズの調整機構。
【発明の詳細な説明】
【０００１】
【産業上の利用分野】
本発明は、光学的に画像の縦横比率（アスペクト比）を変倍することのできるアナモルフイックレンズに関し、特に液晶プロジェクタの投影時にアナモルフイックレンズの液晶素子に対する回転位置合わせを行う調整機構に関するものである。
【０００２】
【従来の技術】
従来から、光学的に画像の縦横比率（アスペクト比）を変倍することのできるコンバージョンレンズとしてのアナモルフィックレンズがある。このアナモルフィックレンズは光学的に縦横の２方向（垂直方向と水平方向）に異なる所定の焦点距離をそれぞれ持つレンズであり（以下、焦点距離の異なる縦横の２方向の向きをアナモルフィックレンズの光軸と称する）、画像の縦横比率、つまりアスペクト比を３対４と９対１６に変倍することができ、一般に映画等の撮影あるいは投射用レンズとして使用されている。
【０００３】
上述したアナモルフィックレンズの一つの使用例としてビデオカメラの撮影レンズ前面に挿着して使用されたり、液晶プロジェクター（投影装置）の投影レンズ前面に挿着して使用される。
【０００４】
ビデオカメラにアナモルフィックレンズが挿着されて撮影している状態では、被写体はビデオカメラ内のＣＣＤにアスペクト比３対４に圧縮された状態で録画され、液晶プロジェクタにアナモルフィックレンズが挿着されて投射する時にはアスペクト比９対１６にワイド化されて投影することができる。
【０００５】
【発明が解決しようとする課題】
しかしながら、アナモルフィックレンズは上述したように縦横の２方向に異なる焦点距離をそれぞれ持つレンズであるため、図５に示すようにビデオカメラ１にアナモルフィックレンズ２を挿着し、ビューファインダまたは液晶モニタを見ながら被写体３の撮影時にカメラのＣＣＤに対してアナモルフィックレンズ２の光軸が一致していないと、被写体３が３ａのように歪んだ画像となって見える。この画像の歪みは従来では目視でビューファインダまたは液晶モニタを見ながらアナモルフィックレンズの光軸を回動調節して解消する方法しかなかった。
【０００６】
また、図６に示すように液晶プロジェクタ４の投影レンズ５にアナモルフィックレンズ２を挿着してスクリーンに投影したとき、液晶プロジェクタ４のＬＣＤに対してアナモルフィックレンズの光軸が一致していないと画像６が歪んで投影されるようになる。この画像の歪みも従来では目視で投影画面を見ながらアナモルフィックレンズの光軸を回動調節して歪んだ画像を解消する方法しかなかった。
【０００７】
このように従来ではビデオカメラ及び液晶プロジェクターにアナモルフィックレンズ２の光軸の位置出し用の機構はなく、このため、目視による光軸の調節には限度があるため、実際には歪みのない状態で撮影したり投影することは非常に困難であった。尚、アナモルフィックレンズの光軸の位置出し装置がたとえあったとしてもそれは機種専用のもので汎用のものはない。
【０００８】
本発明は、上述したような課題を解消するためになされたもので、アナモルフイックレンズに簡単なレンズキャップを挿着するようにしたことで、液晶プロジェクタの投影時にアナモルフイックレンズの液晶素子に対する回転位置合わせを行うことのできるアナモルフイックレンズの調整機構を得ることを目的とする。
【０００９】
【課題を解決するための手段】
上述の目的を達成するため、本発明によるアナモルフィックレンズの調整機構は、液晶プロジェクタの投影レンズ部の先端部に挿着するレンズ固定部と、該レンズ固定部に光軸まわりに回動自在に結合されたアナモルフィックレンズ本体部と、十字状のスリット窓を有し、アナモルフィックレンズ本体部に着脱可能なレンズキャップであって、装着時にアナモルフィックレンズ本体部に対する回転方向の位置決めする位置決め手段を有し、十字状のスリット窓の方向は装着時にアナモルフィックレンズ本体部の焦点距離の異なる縦横方向に一致するようにされたレンズキャップ部材を備えたことを特徴とする。
【００１０】
また、本発明の実施例によるアナモルフイックレンズの調整機構は、レンズキャップ部材の十字状のスリット窓は、縦横方向の長さが異なることを特徴とする。
【００１５】
【作用】
上述のように構成した本発明におけるアナモルフィックレンズの調整機構は、アナモルフィックレンズの前記液晶素子に対する回転位置合わせを行なうときは、レンズキャップを位置決め手段を介してアナモルフィックレンズ本体部に装着し、スクリーン上に投影されたレンズキャップの十字状のスリット窓の画像と、液晶素子からスクリーン上に投影された該液晶素子に対して縦横２方向が一致した十字状の画像が略同一形状の画像に重なって見えるようにアナモルフィックレンズ本体部を回転して調整するものである。
【００２１】
【実施例】
以下、本発明によるアナモルフイックレンズの調整機構を実施例に示した図面を参照して説明する。
図１に本例のアナモルフイックレンズをビデオカメラ等を使用して撮影用に適用した場合のアナモルフイックレンズと本発明の調整機構となるレンズキャップの斜視図を示す。
【００２２】
アナモルフィックレンズ２は図示しないビデオカメラの撮影レンズの前面に挿着するためのねじ部１０を有する第１のレンズ本体部１１と、この第１のレンズ本体部１１に所定の摩擦力を有して回動自在に結合した第２のレンズ本体部１２とから構成されている。すなわち、アナモルフィックレンズ２は第２のレンズ本体部１２を回動動作することにより、焦点距離の異なる縦横２方向の光軸がずれた状態つまり被写体が歪んで見える状態から、光軸が合った状態つまり被写体に歪みのない状態で見える位置とに変化するものである。
【００２３】
上述したアナモルフィックレンズ２の第２のレンズ本体部１２の外側面には水平方向に左右一対の係合突部１３（他方側の係合突部は見えない）が形成されている。
【００２４】
一方、調節機構となるレンズキャップは符号１４で示す。このレンズキャップ１４はアナモルフィックレンズ２の第２のレンズ本体部１２の外側より挿着されるキャップ径を有するキャップ本体部１５からなる。キャップ本体部１５の底部は例えば乳白色からなる光透過面１６からなり、この光透過面１６に水平指標１７ａと垂直指標１７ｂとが平行な格子状の指標１７が形成されている。
【００２５】
そして、上述したキャップ本体部１５の開口部には水平方向に左右一対の係合凹部１８,１８が形成され、この係合凹部１８,１８がアナモルフイックレンズ２の第２の本体部１２に形成した係合突部１３，１３に係合してレンズキャップ１４を装着結合することができる。しかも、第２のレンズ本体部１２にレンズキャップ１４は挿着された状態において、水平指標１７ａが水平状態に位置されたときアナモルフイックレンズ２の光軸がビデオカメラのＣＣＤに対して水平になるように設定されている。
【００２６】
このように構成された調節機構の操作について説明すると、アナモルフィックレンズ２にレンズキャップ１４を装着した状態においてビデオカメラのビューファインダ（あるいは液晶モニタ）を覗くと、図２に示すようにビューファインダの画枠１９内にレンズキャップ１４に設けた格子状の指標１７が見える。この指標１７はインナーフォーカス式のカメラでマクロ操作することにより見ることができる。
【００２７】
ここで、図２ａに示すようにビューファインダの画枠１９内に傾斜した状態でレンズキャップ１４の指標１７が見えたときは、アナモルフィックレンズ２の光軸がビデオカメラのＣＣＤに対して水平でない状態であり、従って、このときはアナモルフィックレンズ２の第２の本体部１２を回動操作し、図２ｂに示すように指標１７がビューファインダの画枠１９内に丁度一致して見えた状態、つまり指標１７が水平になった状態とすることでアナモルフィックレンズ２の光軸がビデオカメラのＣＣＤに対して水平に位置出しされた状態となり、これによって、被写体の撮影を歪みのない状態で行うことができる。
【００２８】
次に、図３に本例のアナモルフィックレンズをプロジェクターに使用して投影用に適用した場合のアナモルフィックレンズと本発明の調節機構となるレンズキャップの斜視図を示す。
【００２９】
図３において、アナモルフィックレンズ２は図１に示したものと同一構成であるため説明は省略する。
【００３０】
調節機構となるレンズキャップは符号２０で示す。このレンズキャップ２０はアナモルフィックレンズ２の第２のレンズ本体部１２の外側より挿着されるキャップ径を有するキャップ本体部２１からなる。レンズキャップ２０の底面には水平方向に長いスリット窓２２ａと垂直方向に短いスリット窓２２ｂからなる十字状のスリット窓２２が形成してある。このスリット窓２２の部分は光が透過するスリット孔が開口しているものでもよいが、本例では光透過ガラスが嵌め込んである。また、十字状のスリット窓２２の横と縦の長さを変えてあることは、スリット窓２２の位置関係を認識できるようにしたものである。
【００３１】
また、上述したキャップ本体部２０の開口部には水平方向に左右一対の係合凹部２３，２３が形成され、この係合凹部２３，２３がアナモルフィックレンズ２の第２の本体部１２に形成した係合突部１３，１３に係合してレンズキャップ２０を装着結合することができる。しかも、第２のレンズ本体部１２にレンズキャップ２０が装着された状態において、水平方向に長いスリット窓２２ａが水平状態に位置されたときアナモルフィックレンズ２の光軸がプロジェクターのＬＣＤから投影される十字状映像に対して水平になるように設定されている。
【００３２】
このように構成された調整機構の操作について説明すると、アナモルフイックレンズ２にレンズキャップ２０を装着した状態においてプロジェクタによりスクリーン２４に投影すると、図４に示すようにスクリーン２４にレンズキャップ２０の十字条スリット窓２２が映し出された十字状スリット窓画像２２０とＬＣＤから投影される十字状映像とが投影される。
【００３３】
ここで、図４ａに示すようにレンズキャップ２０の十字状スリット窓画像２２０が傾斜している状態ではＬＣＤからの十字状映像２５は一部分が欠けた状態で見えたときにはアナモルフイックレンズ２の光軸が水平でない状態であり、従って、このときはアナモルフイックレンズ２の第２の本体部１２を回動操作し、図４ｂに示すように十字状映像２５が完全にスリット窓画像２２０から丁度一致して見えた状態、ちまり、スリット窓画像２２０が水平になった状態とすることでアナモルフイックレンズ２の光軸が水平に位置出しされた状態となり、これによって投影画像を歪みのない状態で見ることができる。
【００３４】
尚、本発明は、上述しかつ図面に示した実施例に限定されるものでなく、その要旨を逸脱しない範囲内で種々の変形実施が可能である。
【００３５】
上述した実施例ではアナモルフィックレンズ２の第２のレンズ本体部１２に対して撮影用のレンズキャップ１４のキャップ本体部１５及び投影用のレンズキャップ２０のレンズキャップ２１の係合は、係合突部１３と係合凹部１８及び２３との係合構造により行われるようにしたが、その他、第２のレンズ本体部１２とキャップ本体部１５及び２０が位置出しされて着脱自在に係合できる構造であれば特に限定するものではない。
【００３６】
【発明の効果】
以上説明したように、本発明によるアナモルフィックレンズの調整機構は、スクリーン上に投影されたレンズキャップの十字状のスリット窓の画像と、液晶素子からスクリーン上に投影された該液晶素子に対して縦横方向が一致した十字状の画像とが略同一形状に重なって見えるようにアナモルフィックレンズ本体部を回転して調整するようにしたので、アナモルフィックレンズの液晶素子に対する回転位置合わせを簡単な操作で正確に行なえ、液晶プロジェクタの投影時の画像が歪むことなく行なうことができる。
【００３７】
キャップ部材の使用でアナモルフィックレンズを取扱いの容易なコンバージョンレンズとして容易に使用することができる。
【００３８】
また、位置出し手段をアナモルフィックレンズの光軸と水平及び垂直に一致させるようにしたことで、アナモルフィックレンズの光軸の位置出しが簡単かつ操作容易に行うことができる。
【００３９】
また、位置出し手段をレンズキャップの光透過面に形成しアナモルフィックレンズの光軸と平行な格子状の指標としたことにより、アナモルフィックレンズの光軸の位置出しが目視により正確に行うことができる。
【００４０】
また、位置出し手段をレンズキャップに形成しアナモルフィックレンズの光軸と平行な縦横方向の長さの異なる十字状のスリット窓としたことにより、アナモルフィックレンズの光軸の位置出しが目視により正確に行うことができる。
【００４１】
また、格子状の指標を設けたレンズキャップを撮影用に使用されるようにしたことで、格子状の指標をビューファインダあるいは液晶モニタを見ながら水平状態に回動調整することで、撮影時の被写体が歪んで見えることなくアナモルフィックレンズの光軸の正確な位置出しが容易に行える。
【００４２】
さらに、十字状のスリット窓を設けたレンズキャップを投影用に使用されるようにしたことで、スクリーンに映し出された十字状のスリット窓を水平状態に回動調整することによって、投影時の投影画像が歪んで見えることなくアナモルフィックレンズの光軸を正確に位置出しされた状態で投影することができる。
【図面の簡単な説明】
【図１】本例の調節機構を撮影用に適用した構成の斜視図である。
【図２】撮影時におけるアナモルフィックレンズの光軸のずれと位置合わせされた状態のファインダ像である。
【図３】本例の調節機構を投影用に適用した構成の斜視図である。
【図４】投影時におけるアナモルフィックレンズの光軸のずれと位置合わせされた状態のスクリーンへの投影画像である。
【図５】撮影時のアナモルフィックレンズの光軸がずれた状態の説明図である。
【図６】投影時のアナモルフィックレンズの光軸がずれた状態の説明図である。
【符号の説明】
２  アナモルフィックレンズ
１１  第１のレンズ本体部
１２  第２のレンズ本体部
１３  係合突部
１４  レンズキャップ
１５  キャップ本体部
１６  光透過面
１７  指標
１８  係合凹部
１９  ファインダの画枠
２０  レンズキャップ
２１  キャップ本体部
２２  スリット窓
２３  係合凹部
２４  スクリーン
２５  十字状映像
２２０  十字状スリット窓画像
【図１】
0003668981.tif 000002
【図２】
0003668981.tif 000003
【図３】
0003668981.tif 000004
【図４】
0003668981.tif 000005
【図５】
0003668981.tif 000006
【図６】
0003668981.tif 000007